(57)【特許請求の範囲】
【請求項１】
記録媒体に記録されている画像ファイルに格納されている画像データを読み取る画像データ読み取り手段，
上記画像データ読み取り手段によって読み取られた画像データにより表される原画像を表示するように第１の表示装置を制御する第１の表示制御手段，
上記第１の表示装置に表示されている原画像のズーム指令を与えるズーム指令手段，
上記第１の表示装置に表示されている原画像を表す画像データについて，上記ズーム指令手段から与えられたズーム指令に応じたズーム処理を行うズーム処理手段，
上記ズーム処理手段によりズーム処理された画像データによって表されるズーム画像を表示するように第２の表示装置を制御する第２の表示制御手段，ならびに
上記ズーム指令手段から与えられたズーム指令を表すデータおよび上記原画像と上記ズーム画像との表示順序を示すシーン・ナンバを表わすデータを，上記第１の表示装置に表示されている原画像を表す画像データが格納されている上記画像ファイルに記録する記録制御手段，
を備えたズーム・データ記録装置。
【請求項２】
上記第１の表示装置と上記第２の表示装置とが同一のものである，請求項１に記載のズーム・データ記録装置。
【請求項３】
上記第１の表示装置に表示されている原画像のズーム倍率を与える倍率指令手段をさらに備え，
上記ズーム処理手段は，上記倍率指令手段から与えられたズーム倍率にもとづいてズーム処理するものであり，
上記記録制御手段は，上記倍率指令手段から与えられたズーム倍率を表すデータを上記原画像を表す画像データに関連づけて上記記録媒体に記録するものである，
請求項１または２に記載のズーム・データ記録装置。
【請求項４】
上記第１の表示装置に表示されている原画像のズーム位置を与える位置指令手段をさらに備え，
上記ズーム処理手段は，上記位置指令手段から与えられたズーム位置にもとづいた領域の画像についてズーム処理をするものであり，
上記記録制御手段は，上記位置指令手段から与えられたズーム位置を表すデータおよび上記原画像と上記ズーム画像との表示順序を示すシーン・ナンバを表わすデータを上記原画像を表す画像データが格納されている上記画像ファイルに記録するものである，
請求項１から３のうちいずれか一項に記載のズーム・データ記録装置。
【請求項５】
上記原画像と上記ズーム画像との表示順序を設定する表示順序設定手段をさらに備え，
上記記録制御手段は，上記表示順序設定手段から与えられた表示順序を表すデータを上記原画像を表す画像データが格納されている上記画像ファイルにさらに記録するものである，
請求項１から４のうちいずれか一項に記載のズーム・データ記録装置。
【請求項６】
上記原画像から上記ズーム画像への切替指示を設定する切替指示手段をさらに備え，
上記記録制御手段は，上記切替指示手段により設定された切替指示を表すデータを上記原画像を表わす画像データが格納されている上記画像ファイルにさらに記録するものである，
請求項１から５のうちいずれか一項に記載のズーム・データ記録装置。
【請求項７】
プレビュー指示を与えるプレビュー指示手段，ならびに
上記プレビュー指示手段によりプレビュー指示が与えられたことにより上記原画像および上記ズーム画像を上記第１の表示装置および上記第２の表示装置のうち少なくとも一方の表示装置にプレビュー表示するプレビュー表示制御手段，
をさらに備えた請求項１から６のうちいずれか一項に記載のズーム・データ記録装置。
【請求項８】
上記記録媒体に記録されている上記画像ファイルに格納されている上記画像データ，ズーム指令データおよび上記シーン・ナンバを表わすデータを読み取るデータ読み取り手段，
上記データ読み取り手段により読み取られた画像データによって表される原画像を表示するように上記第１の表示装置を制御する第３の表示制御手段，
上記データ読み取り手段によって読み取られた上記ズーム指令データにもとづいて上記原画像をズーム処理するズーム処理手段，ならびに
上記ズーム処理手段によってズーム処理された画像を表示するように上記第２の表示装置を制御する第４の表示制御手段をさらに備え，
上記第１の表示制御手段および上記第２の表示制御手段が，上記データ読み取り手段によって読み取られたシーン・ナンバを表わすデータによって表されるシーン・ナンバで示される表示順序で上記原画像と上記ズーム画像とを表示するものである，
請求項１から７のうちいずれか一項に記載のズーム・データ記録装置。
【請求項９】
上記第１の表示装置と上記第２の表示装置とが同一のものであり，上記原画像の表示後に上記ズーム処理された画像が表示される，請求項１から８のうちいずれか一項に記載のズーム・データ記録装置。
【請求項１０】
上記記録媒体に，ズーム倍率を表すデータおよびズーム位置を表すデータの少なくとも一方を表すズーム・データが記録されており，
上記ズーム・データを読み取るズーム・データ読み取り手段，ならびに
上記ズーム・データ読み取り手段によって読み取られたズーム・データにしたがったズーム倍率のズーム処理およびズーム位置によって規定される領域についてのズーム処理の少なくとも一方の処理を上記画像データについて行うものである，
請求項１から９のうちいずれか一項に記載のズーム・データ記録装置。
【請求項１１】
上記記録媒体に，切替指示を表すデータが記録されており，
上記記録媒体から上記切替指示を表わすデータを読み取る切替指示データ読み取り手段，および
上記切替指示データ読み取り手段により読み取られた切替指示を表わすデータにもとづいて上記原画像の表示から上記ズーム画像の表示に切り替わるものである，
請求項１から10のうちいずれか一項に記載のズーム・データ記録装置。
【請求項１２】
再生モードにおいて，上記シーン・ナンバを表わすデータが記録されていることを示すアイコンまたは文字を表示する，請求項１から11のうちいずれか一項に記載のズーム・データ記録装置。
【請求項１３】
画像データ読み取り手段が，記録媒体に記録されている画像ファイルに格納されている画像データを読み取り，
第１の表示制御手段が，読み取られた画像データにより表される原画像を表示するように第１の表示装置を制御し，
ズーム処理手段が，上記第１の表示装置に表示されている原画像を表す画像データについて，与えられたズーム指令に応じたズーム処理を行い，
第２の表示制御手段が，ズーム処理された画像データによって表されるズーム画像を表示するように第２の表示装置を制御し，
記録制御手段が，与えられたズーム指令を表すデータおよび上記原画像と上記ズーム画像との表示順序を表わすシーン・ナンバを表わすデータを，上記第１の表示装置に表示されている原画像を表す画像データが格納されている上記画像ファイルに記録する，
ズーム・データ記録方法。
【請求項１４】
ズーム指令を表わすデータを記録媒体に記録させるためのプログラムであって，
記録媒体に記録されている画像ファイルに格納されている画像データを読み取らせ，
読み取られた画像データにより表わされる原画像を表示するように第１の表示装置を制御させ，
上記第１の表示装置に表示されている原画像を表わす画像データについて，与えられたズーム指令に応じたズーム処理を行なわせ，
ズーム処理された画像データによって表わされるズーム画像を表示するように第２の表示装置を制御させ，
与えられたズーム指令を表すデータおよび上記原画像と上記ズーム画像との表示順序を示すシーン・ナンバを表わすデータを，上記第１の表示装置に表示されている原画像を表わす画像データが格納されている上記画像ファイルに記録させるようにズーム・データ記録装置のコンピュータを制御するためのプログラムを格納したコンピュータが読取り可能な記録媒体。
【発明の詳細な説明】
【０００１】
【技術分野】
この発明は，ズーム・データ記録装置および方法，画像再生装置および方法ならびにズーム・データを記録するためのプログラムを格納した記録媒体および画像再生のためのプログラムを格納した記録媒体に関する。
【０００２】
【発明の背景】
ディジタル・スチル・カメラ，ディジタル・ムービ・ビデオ・カメラなどのディジタル・カメラにおいては，カメラ本体に表示装置が設けられているものが多い。表示装置に撮影された被写体像が表示される。表示装置に表示されている被写体像を見ながら，カメラ・アングルが決定される。
【０００３】
また，ディジタル・カメラには，ズーム機能を有するものもある。ズーム処理により拡大画像または縮小画像を表示装置に表示することができる。ズーム処理により小さな被写体を大きく撮影することができる。また，フォーカシング，露出の確認にも用いることができる。
【０００４】
ディジタル・カメラにおいてズーム処理を行う場合には，カメラに設けられたズーム・ボタンが押される。ズーム・ボタンが押されたことにより被写体像のズーム処理が行われる。
【０００５】
ズーム処理を行うためには，ユーザによってズーム・ボタンが押されなければならない。
【０００６】
【発明の開示】
この発明は，画像の再生時においてズーム・ボタンを押さずともズームされた画像を再生できるようにすることを目的とする。
【０００７】
第１の発明によるズーム・データ記録装置は，記録媒体に記録されている画像データを読み取る画像データ読み取り手段，上記画像データ読み取り手段によって読み取られた画像データにより表される原画像を表示するように第１の表示装置を制御する表示制御手段，上記第１の表示装置に表示されている原画像のズーム指令を与えるズーム指令手段，上記第１の表示装置に表示されている原画像を表す画像データについて，上記ズーム指令手段から与えられたズーム指令に応じたズーム処理を行うズーム処理手段，上記ズーム処理手段によりズーム処理された画像データによって表されるズーム画像を表示するように第２の表示装置を制御する第２の表示制御手段，および上記ズーム指令手段から与えられたズーム指令を表すデータを，上記第１の表示装置に表示されている原画像を表す画像データに関連づけて上記記録媒体に記録する記録制御手段を備えていることを特徴とする。
【０００８】
第１の発明は，上記記録装置に適した方法も提供している。すなわち，この方法は，記録媒体に記録されている画像データを読み取り，読み取られた画像データにより表される原画像を表示するように第１の表示装置を制御し，上記第１の表示装置に表示されている原画像を表す画像データについて，与えられたズーム指令に応じたズーム処理を行い，ズーム処理された画像データによって表されるズーム画像を表示するように第２の表示装置を制御し，与えられたズーム指令を表すデータを，上記第１の表示装置に表示されている原画像を表す画像データに関連づけて上記記録媒体に記録するものである。
【０００９】
第１の発明は，上記方法を実施するためのプログラムを格納した記録媒体も提供している。
【００１０】
第１の発明によると，記録媒体に記録されている画像データが読み出され，読み出された画像データによって表される原画像が上記第１の表示装置に表示される。ズーム指令が与えられると原画像がズーム処理される。ズーム処理されたズーム画像が上記第２の表示装置（上記第１の表示装置と上記第２の表示装置とは同じものであってもよいし，異なるものであってもよい）に表示される。
【００１１】
ズーム指令を表すデータが，上記原画像を表すデータに関連づけられて記録媒体に記録される。
【００１２】
上記第１の発明により記録媒体に記録されたズーム指令データにもとづいて原画像をズームした画像を再生するためのものが第２の発明である。
【００１３】
第２の発明による画像再生装置は，記録媒体に画像データと，上記画像データによって表され原画像のズーム指令を表すズーム指令データとが互いに関連づけられて記録されており，上記記録媒体に記録されている上記画像データおよび上記ズーム指令データを読み取るデータ読み取り手段，上記データ読み取り手段により読み取られた画像データによって表される原画像を表示するように第１の表示装置を制御する第１の表示制御手段，上記データ読み取り手段によって読み取られた上記ズーム指令データにもとづいて上記原画像をズーム処理するズーム処理手段，ならびに上記ズーム処理手段によってズーム処理された画像を表示するように第２の表示装置を制御する第２の表示制御手段を備えていることを特徴とする。
【００１４】
第２の発明は，上記装置に適した方法も提供している。すなわち，この方法は，記録媒体に画像データと，上記画像データによって表され原画像のズーム指令を表すズーム指令データとが互いに関連づけられて記録されており，上記記録媒体に記録されている上記画像データおよび上記ズーム指令データを読み取り，読み取られた画像データによって表される原画像を第１の表示装置に表示し，読み取られた上記ズーム指令データにもとづいて上記原画像をズーム処理し，ズーム処理された画像を第２の表示装置に表示するものである。
【００１５】
第２の発明は，上記方法を実施するためのプログラムを格納した記録媒体も提供している。
【００１６】
第２の発明によると，上記記録媒体から上記画像データと上記ズーム指令データとが読み取られる。上記画像データによって表される原画像が上記第１の表示装置に表示される。上記ズーム指令データにもとづいて上記画像データについてズーム処理が行われる。ズーム画像が上記第２の表示装置に表示される。
【００１７】
ズーム・ボタンの押下などのユーザからのズーム指令が無くともズーム処理が行われ，上記ズーム指令データにもとづいたズーム画像が表示される。
【００１８】
上記第１の表示装置と上記第２の表示装置とが同じものである場合には，上記原画像を表示したあとにズーム画像が表示されることとなろう。
【００１９】
上記ズーム指令を表すデータは，上記原画像を表す画像データが格納されている画像ファイルと同じファイルに格納することができる。もっとも上記原画像を表す画像データが格納されている画像ファイルと異なるファイルに上記ズーム指令を表すデータを格納することができるのはいうまでもない。
【００２０】
上記ズーム・データの記録装置において，ズーム倍率を与えるズーム倍率指令手段をさらに備えても良い。この場合には，上記ズーム倍率指令手段から与えられるズーム倍率にもとづいてズーム処理し，ズーム倍率を表すデータを上記原画像を表す画像データに関連づけて上記記録媒体に記録することとなろう。
【００２１】
再生時には，上記記録媒体に記録されているズーム倍率を表すデータを読み取り，読み取ったデータにより表されるズーム倍率で上記原画像がズーム処理される。
【００２２】
また，上記ズーム・データの記録装置において，ズーム位置を与えるズーム位置指令手段をさらに備えても良い。この場合には，上記原画像のうち上記ズーム位置指令手段から与えられるズーム位置によって規定される領域の画像がズーム処理される。ズーム位置を表すデータも上記記録媒体に上記画像データに関連づけられて記録される。
【００２３】
再生時には，上記記録媒体に記録されているズーム位置を表すデータが読み取られ，上記原画像のうち読み取られたデータにより表される領域の画像がズーム処理される。
【００２４】
上記ズーム・データの記録装置において，上記原画像と上記ズーム画像との表示順序を設定するようにしてもよい。この場合，与えられた表示順序設定データが上記原画像を表すデータに関連づけられて上記記録媒体に記録される。
【００２５】
再生時には，上記記録媒体から上記表示順序を表すデータが読み取られる。読み取られた表示順序を表すデータにもとづいて，上記原画像と上記ズーム画像との表示順序が決定する。
【００２６】
さらに，上記ズーム・データ記録装置において，上記原画像から上記ズーム画像への切替指示を設定できるようにしてもよい。切替指示を示すデータが上記原画像を表すデータに関連づけられて上記記録媒体に記録される。
【００２７】
再生時には，上記切替指示を表すデータが上記記録媒体から読み取られる。読み取られた切替指示を表すデータにもとづいて上記ズーム画像の表示が制御される。上記切替指示データは，たとえば，切替指令が与えられたことにより上記原画像から上記ズーム画像に表示の切替が行われることを示すデータ，一定の時間の間上記原画像が表示されると，自動的にズーム画像が表示されるように切替を行うことを示すデータなどがある。
【００２８】
上記ズーム・データ記録装置において，プレビュー指令を与えるようにしてもよい。プレビュー指令が与えられたことにより，上記原画像および上記ズーム画像がプレビューされる。再生時に表示される原画像およびズーム画像を確認できる。
【００２９】
また，上記ズーム・データに関連づけられた画像データを再生するときに，関連した上記ズーム・データがあることを報知するようにしてもよい。上記画像データに関連したズーム・データがあることがわかる。
【００３０】
【実施例の説明】
図１は，この発明の実施例を示すもので，ディジタル・スチル・カメラを正面から見た斜視図である。
【００３１】
ディジタル・スチル・カメラ１は，その正面のほぼ中央部分にズーム・レンズ２が設けられている。カメラ１の正面の右上部には，光学ビューファインダ４およびストロボ５が形成されている。
【００３２】
ディジタル・スチル・カメラ１の上面には，正面から見てその左端部にシャッタ・レリーズ・ボタン３が設けられている。カメラ１の上面においてシャッタ・レリーズ・ボタン３が設けられている一端部とは反対側の他端部には，電源スイッチ兼モード切替スイッチ６が設けられている。この電源スイッチ兼モード切替スイッチ６によりカメラ１の電源のオフ，撮影モード，再生モードおよび後述するシナリオ記録モードの切替が行われる。再生モード，撮影モードまたはシナリオ記録モードが設定されることによりカメラ１の電源がオンとなる。
【００３３】
正面から見て，カメラ１の右側面には，メモリ・カードを挿入するための開口８が形成されている。
【００３４】
図２は，ディジタル・スチル・カメラ１を背面から見た斜視図である。
【００３５】
ディジタル・スチル・カメラ１の背面には，そのほぼ全面に表示画面17が形成されている。この表示画面17に撮影によって得られた被写体像が表示される。
【００３６】
表示画面17の上には，シフト・スイッチ14，メニュー・スイッチ15および実行スイッチ16が形成されている。
【００３７】
光学ビューファインダ４の右側には，撮影した被写体像を拡大するためのズーム・アップ・ボタン11および撮影した被写体像を縮小するためのズーム・ダウン・ボタン12が設けられている。
【００３８】
ズーム・アップ・ボタン11およびズーム・ダウン・ボタン12の右側には，操作スイッチ10が設けられている。操作スイッチ10は被写体像のズーム位置を指定するために，および再生する駒を指定するために用いられる。操作スイッチ10には，上矢印，下矢印，左矢印および右矢印が押下可能に形成されている。ズーム位置を指定するときにはシフト・ボタン14と組み合わせて操作スイッチ10が用いられる。再生する駒を指定するときには操作スイッチ10単独で用いられる。
【００３９】
操作スイッチ10の右矢印が押されると駒送り指令がカメラ１に与えられ，操作スイッチ10の左矢印が押されると駒戻し指令がカメラ１に与えられる。
【００４０】
シフト・スイッチ14と操作スイッチ10の上矢印とが同時に押されると表示画面17に表示されている被写体像が上方向に移動する。シフト・スイッチ14と操作スイッチ10の下矢印とが同時に押されると表示画面17に表示されている被写体像が下方向に移動する。シフト・スイッチ14と操作スイッチ10の右矢印とが同時に押されると表示画面17に表示されている被写体像が右方向に移動する。シフト・スイッチ14と操作スイッチ10の左矢印とが同時に押されると表示画面17に表示される被写体像が左方向に移動する。
【００４１】
図３は，ディジタル・スチル・カメラ１の電気的構成を示すブロック図である。
【００４２】
カメラ１の全体の動作は，ＣＰＵ20によって統括される。
【００４３】
ディジタル・スチル・カメラ１にはメモリ・カード38が着脱自在に装着可能である。このメモリ・カード38には，後述する処理を行なうためのプログラムが格納されている。メモリ・カード38が装着されることにより，メモリ・カード38に格納されているプログラムが読み出され，その読み出されたプログラムにしたがってＣＰＵ20が動作することとなる。
【００４４】
上述した，操作スイッチ10，シフト・スイッチ14，メニュー・スイッチ15および実行兼画面切替スイッチ16の押下を示す信号，シャッタ・レリーズ・ボタン３の押し下げを示す信号，ズーム・アップ・ボタン11またはズーム・ダウン・ボタン12の押し下げを示す信号は，いずれもＣＰＵ20に入力する（操作スイッチ群40）。
【００４５】
ディジタル・スチル・カメラ１には，駆動回路24が設けられている。この駆動回路24によってストロボ５の発光，ズーム・レンズ２の駆動，絞り21の絞り制御，シャッタ22の開閉および撮像ディバイス23の駆動がそれぞれ制御される。
【００４６】
撮影モードが設定されていると，被写体像を表す光像がズーム・レンズ２によってＣＣＤのような撮像ディバイス23上に結像する。被写体像を表す映像信号が撮像ディバイス23から出力される。撮像ディバイス23から出力された映像信号はアナログ信号処理回路31に入力し，ガンマ補正などの所定のアナログ信号処理が行われる。アナログ信号処理回路31から出力した映像信号は，アナログ／ディジタル変換回路32に入力し，ディジタル画像データに変換される。ディジタル画像データは，ディジタル信号処理回路33に入力する。
【００４７】
ディジタル画像データは，ディジタル信号処理回路33において白バランス調整などの所定のディジタル信号処理が行われる。ディジタル信号処理回路33から出力された画像データは，メモリ34を介して表示装置36に入力する。撮像した被写体像が表示装置36の表示画面17（図２参照）に表示される。
【００４８】
シャッタ・レリーズ・ボタン３が押されると，ディジタル信号処理回路33から出力された画像データは，メモリ34に一時的に記憶される。ディジタル画像データは，メモリ34から読み出され，圧縮伸長回路37に入力する。圧縮伸長回路37において入力した画像データについてデータ圧縮処理が行われる。圧縮画像データは，メモリ・カード38に与えられ，記録される。
【００４９】
この実施例によるディジタル・スチル・カメラ１は，画像データの再生も可能である。電源スイッチ兼モード切り替えスイッチ６により再生モードが設定されると，圧縮画像データがメモリ・カード38から読み出され，圧縮伸長回路37に入力する。圧縮画像データは，圧縮伸長回路37において，データ伸長処理が施される。データ伸長された画像データは，メモリ34を介して表示装置36に与えられる。メモリ・カード38に記録されている画像データによって表される画像が表示装置36の表示画面17に表示される。
【００５０】
図４は，メモリ・カード38のデータ構造を示している。
【００５１】
メモリ・カード38には，ヘッダ記録領域と画像データ記録領域とプログラム記録領域とが含まれている。
【００５２】
ヘッダ記録領域には，メモリ・カード38に記録されている画像データを管理するためのデータが記録されている。画像ファイル名，ファイル・タイプ，ファイル・サイズなどである。
【００５３】
画像データ記録領域には，撮影によって得られた画像データが画像ファイル形式で記録されている。
【００５４】
プログラム記録領域に上述したプログラムが格納されている。
【００５５】
図５は，画像データ記録領域に記録される画像ファイルを示している。
【００５６】
画像ファイル（ここでは，ＪＰＥＧ（joint photographic coding experts group ）にしたがう画像ファイルとする）には，第１のＪＰＥＧヘッダ，第２のＪＰＥＧヘッダ，第３のＪＰＥＧヘッダ，圧縮画像データ記録領域および第４のＪＰＥＧヘッダが含まれている。
【００５７】
第１のＪＰＥＧヘッダには，画像ファイルの開始を示すスタート・オブ・イメージが格納されている。第２のＪＰＥＧヘッダには，アプリケーション・データが格納されている。アプリケーション・データには，色管理情報，撮影条件情報，縮小画像データなどがある。第３のＪＰＥＧヘッダには，その他の情報が格納される。第３のＪＰＥＧヘッダに，後述するようにシナリオ・データが格納される。圧縮画像データ記録領域は，圧縮画像データが格納される。第４のＪＰＥＧヘッダは，画像ファイルの終了を示すエンド・オブ・イメージが格納される。
【００５８】
図６は，シナリオ・データの一例である。図７は，原画像の一例を示し，図８は図７の枠Ｆを拡大したズーム画像の一例を示している。
【００５９】
図６に示すシナリオ・データは，図７に示す原画像を再生したときに，原画像（シーン・ナンバ１）の再生につづいて図８に示すズーム画像（シーン・ナンバ２）を表示させるものである。このシナリオ・データが，図７の原画像を表す画像データが格納される画像ファイルと同じファイルに格納される。
【００６０】
シナリオ・データは，所定の一駒の画像（原画像という）に付随するものである。原画像を再生する際に，その原画像にシナリオ・データに付随していると必要に応じて原画像の再生につづいて，そのシナリオ・データにしたがって原画像のズーム画像が再生される。
【００６１】
「自動再生」は，原画像を再生したときに，原画像につづいてズーム画像を自動的にシナリオ・データにしたがって表示するかどうかを規定するものである。「自動再生」は，「１」または「２」が選択される。「自動再生」が「１」であると，原画像を再生したときに原画像につづいてズーム画像が自動的にシナリオ・データにしたがって表示される。「自動再生」が「２」であると，原画像を再生しても実行スイッチ16が押されるまでズーム画像は再生されない。
【００６２】
「シーン数」は，シナリオ・データにもとづいて再生される原画像とズーム画像とを合わせた画像の数である。
【００６３】
「シーン・ナンバ」は，再生画像の識別ナンバである。画像の表示順序も示している。
【００６４】
「画像サイズＸ」は，原画像の横方向の画素数を示している。「画像サイズＹ」は，原画像の縦方向の画素数を示している。
【００６５】
「表示サイズＸ」は，画像の横方向の画素数を示している。「表示サイズＹ」は，画像の縦方向の画素数を示している。「表示サイズＸ」と「画像サイズＸ」と一致し，かつ「表示サイズＹ」と「画像サイズＹ」とが一致するとズームされていない原画像が表示されることとなる（たとえば「画像サイズＸ」および「表示サイズＸ」が「1600」，「画像サイズＹ」および「表示サイズＹ」が「1200」でともに一致）。「表示サイズＸ」と「画像サイズＸ」または「表示サイズＹ」と「画像サイズＹ」が不一致であるとズーム画像が表示されることとなる。「表示サイズＸ」が「1600」，「表示サイズＹ」が「1200」，「画像サイズＸ」が「400 」，「画像サイズＹ」が「300 」であるとすると横方向400 画素，縦方向300 画素の画像が横方向1600画素，縦方向1200画素の画像に拡大されて表示されることとなる。
【００６６】
「スタート・アドレスＸ」および「スタート・アドレスＹ」は，ズーム画像の原点の表示位置を示すものである。「スタート・アドレスＸ」および「スタート・アドレスＹ」がいずれも「０」であれば，ズーム画像の原点と表示画面の原点とが一致する。「スタート・アドレスＸ」が「450 」，「スタート・アドレスＹ」が「240 」であれば原画像の横方向450 画素，縦方向240 画素の位置がズーム画像の原点となる。
【００６７】
「画像移行手法」は，そのシーン・ナンバをもつ画像への移行の方法を示している。移行の方法には，時間と実行ボタンの押下とがある。
【００６８】
「表示時間」は，画像の表示時間を示している。「画像移行手法」において移行手法として「時間」が選択されたときに「表示時間」に時間が格納される。
【００６９】
「表示時間の単位」は，「表示時間」に表示されたデータの時間の単位を示すものである。「秒」，「分」などがある。
【００７０】
図９から図11は，シナリオ・データを画像ファイルに格納するときの処理手順を示すフローチャートである。
【００７１】
図12から図21は，ディジタル・スチル・カメラ１の表示画面17に表示される画像の一例である。
【００７２】
まず，電源兼モード設定スイッチ６によりシナリオ記録モードが設定される（ステップ51）。操作スイッチ10を押して画像の駒送りを行いながら，シナリオ・データを記録すべき画像が再生される（ステップ51）。これによりディジタル・スチル・カメラ１の表示画面17には，選択された画像が表示される。
【００７３】
選択された画像の画像ファイルにすでにシナリオ・データが格納されているかどうかが判定される（ステップ53）。
【００７４】
シナリオ・データがすでに格納されていると（ステップ53でＹＥＳ），その旨をユーザに知らせるために表示画面17上に「シナリオがすでに記録されています」と表示される（ステップ54）。また，表示画面17上に「新規」アイコン，「追加」アイコンおよび「終了」アイコンが表示される。操作スイッチ10を押すことにより，これらのアイコンの点滅が変わり，実行ボタン16が押されたときに点滅しているアイコンによって指定される処理が行われる。「新規」アイコンは，すでに記録されているシナリオ・データを消去して最初からシナリオ・データを作成し直すときにユーザによって選択される。「追加」アイコンは，すでに記録されているシナリオ・データに追加するときにユーザによって選択される。「終了」アイコンは，シナリオ記録モードを終了するときにユーザによって選択される。
【００７５】
ユーザによって「新規」アイコンが選択された場合およびユーザによって選択された画像にシナリオ・データが無い場合（ステップ53でＮＯ），ディジタル・スチル・カメラ１の表示画面17に表示されている画像のシーン・ナンバＮがＮ＝１にセットされる（ステップ58）。
【００７６】
また，ユーザによって「追加」アイコンが選択された場合には，シナリオ・データが読み出され，そのシナリオ・データにしたがって画像の再生処理が行われる。シナリオ・データにしたがってシーン・ナンバＮの最後の画像が表示画面17に表示される（ステップ56）。最後のシーン・ナンバＮがシナリオ・データから読出される（ステップ57）。
【００７７】
シーン・ナンバＮが１であれば，表示画面17には，図12に示す原画像が表示される。この原画像には，アイコンＩ１からアイコンＩ４が含まれている。
【００７８】
アイコンＩ１は，シーン番号Ｎを示すアイコンである。アイコンＩ２は，記録指令を与えるためのアイコンである。アイコンＩ３は，終了指令を与えるアイコンである。アイコンＩ４は，戻る指令を与えるアイコンである。アイコンＩ２からアイコンＩ４のいずれかのアイコンが点滅している（ハッチングで示されている）。
【００７９】
操作スイッチ10の左矢印または右矢印を押すことにより，アイコンＩ２からアイコンＩ４の点滅が右方向または左方向に移動する。実行スイッチ16が押されることにより，点滅しているアイコンによって特定される指令がディジタル・スチル・カメラ１に与えられる。
【００８０】
シーン・ナンバＮの画像についての再生時の表示指令が設定される（ステップ59）。再生時にズーム画像を表示するのであれば，ズーム・アップ・ボタン11およびズーム・ダウン・ボタン12によりズーム倍率が設定される。また，シフト・スイッチ14と操作スイッチ10とを組み合わせてズーム位置が設定される。詳しくは，後述する（図21参照）。所望のズーム倍率およびズーム位置が設定されると実行スイッチ16が押される。ズーム処理させないときにはズーム・アップ・ボタン11またはズーム・ダウン・ボタン12が押されることなく実行スイッチ16が押される。
【００８１】
表示画面17に表示されている画像のシーン・ナンバＮが１かどうかが判定される（ステップ60）。シーン・ナンバが１であれば，「記録」アイコンＩ２と「戻る」アイコンＩ４との選択が可能である。
【００８２】
「記録」アイコンＩ２が選択されると，シーン・ナンバＮの画像をＮ番目に再生するように，また，ステップ59で設定された表示指令にしたがったシナリオ・データがＣＰＵ20内のメモリ（図示略）に一時的に記憶される（ステップ63）。「終了」アイコンＩ３が選択されると，再生時においては，原画像のみが表示されることとなりシナリオ記録モードが終了する。
【００８３】
シーン・ナンバＮが１でなければ（ステップ60でＮＯ），「記録」アイコンＩ２，「終了」アイコンＩ３または「戻る」アイコンＩ４の選択が可能である。「戻る」アイコンＩ４が選択されると，再びステップ59からの処理が繰り返される。「記録」アイコンＩ２が選択されると，シーン・ナンバＮの画像をＮ番目に再生するように，また，ステップ59で設定された表示指令にしたがったシナリオ・データがＣＰＵ20内のメモリ（図示略）に一時的に記憶される（ステップ63）。「終了」アイコンが選択されるとすでに原画像の他にズーム画像についてのシナリオ・データが生成されているので，ステップ68の処理に移行する。
【００８４】
「記録」アイコンＩ２が選択されると表示画面17に表示される画像は，図13に示す画像に切り替わる。図13に示す画像において，再生時において何の指示にしたがって原画像（またはズーム画像）からズーム画像に切り換えるかの選択が行われる。図13に示す画像には，アイコンＩ１，Ｉ４，Ｉ５およびＩ６が含まれている。
【００８５】
アイコンＩ５は，「時間」アイコンであり，時間の経過により次の画像を表示するときにユーザによって選択される。アイコンＩ６は，「実行スイッチ」アイコンであり，実行スイッチ16の押し下げにより画像の表示を切り換えるときにユーザによって選択される。「時間」アイコンＩ５が選択されると，表示画面17に表示される画像は，図14に示す画像に切り替わる。
【００８６】
図14に示す画像には，「再生時間」アイコンＩ６および「時間単位」アイコンＩ７が含まれている。
【００８７】
「再生時間」アイコンＩ６は，再生時間を設定するときにユーザによって選択される。「再生時間」アイコンＩ６が点滅しているときに実行スイッチ16が押されると，「再生時間」アイコンＩ６に数字が現れる。操作スイッチ10の右矢印が押下されると，数字が増加し，操作スイッチ10の左矢印が押されると，数字が減少する。再び実行スイッチ16が押されると「再生時間」アイコンＩ６に表示されている数字が再生時間となる。（ステップ65）。
【００８８】
「時間単位」アイコンＩ７は，再生時間の単位を設定するときにユーザによって選択される。「時間単位」アイコンＩ７が点滅しているときに実行スイッチ16が押されると「時間単位」アイコンＩ７に「秒」または「分」の時間単位が現れる。操作スイッチ10の右矢印が押されることによりアイコンＩ７の表示が「秒」から「分」に，または「分」から「秒」に切り替わる。実行スイッチ16が押されるとアイコンＩ７に表示されている時間単位が確定する。
【００８９】
設定された指示，すなわち再生時間の経過により再生画像の切替が行われるか再生時間はどのくらいか，実行スイッチ16の押下により再生画像の切替が行われるかを表すデータがシナリオ・データの一部としてＣＰＵ20内のメモリに一時的に記憶される（ステップ66）。
【００９０】
シーン・ナンバＮがインクレメントされ（ステップ67），再びステップ59からの処理が繰り返される。
【００９１】
再生時において原画像につづけてズーム画像を表示させる場合には，表示画面17に表示されている原画像にズーム指令が与えられる（ステップ59）。ズーム指令が与えられることにより，表示画面17には，図15に示すようなズーム画像が表示される。
【００９２】
原画像と同様にしてズーム画像についても，「記録」アイコンＩ２が選択されることにより（ステップ62），図15に示す画像を表示するようにシナリオ・データが一時的に記憶される（ステップ63）。すると，表示画面17に表示される画像は図16に示す画像に切り替わる。図16に示す画像において，何の指示にしたがって画像を切り換えるかどうかが設定される（ステップ64）。再生時間にしたがって画像を切り換えるのであれば原画像についてのときと同様にして再生時間が設定される（ステップ65，図17参照）。
【００９３】
シナリオの記録が終了し，「終了」アイコンが設定されると（ステップ62），つづいて，シナリオ・データにもとづく再生を自動再生とするか実行スイッチ16の押下に伴って行うかが設定される（ステップ68）。表示画面17に表示される画像は，図18に示す画像に切り替わる。
【００９４】
図18に示す画像において，アイコンＩ９は，「自動再生」アイコンＩ９である。「自動再生」アイコンＩ９は，再生時において，原画像が再生されるとユーザからの指令がなくともシナリオ・データにしたがって原画像をズームした画像を表示するものである。「自動再生」アイコンＩ９が選択されると，自動再生によりシナリオ再生するように，シナリオ・データが記憶される（ステップ69）。「実行スイッチ」アイコンＩ６が選択されると再生時において，実行スイッチ16が押されたことにより原画像をズームしたズーム画像を表示するものである。「実行スイッチ」アイコンＩ６が選択されると，実行スイッチ16の押し下げがあったことによりシナリオ再生が行われるようにシナリオ・データが記憶される（ステップ70）。
【００９５】
つづいて，表示画面17に表示される画像は，図19に示す画像に切り替わる。図19に示す画像は，記憶されたシナリオ・データにもとづいてプレビューするかどうかを設定するためのものである。「プレビュー」アイコンＩ10は，プレビューするときにユーザによって選択される（ステップ71でＹＥＳ）。「プレビュー」アイコンＩ10が選択されると，一時的に記憶されたシナリオ・データにしたがって表示画面17にプレビューされる（ステップ72）。画像の切替が再生時間に基づくものであれば，その再生時間の経過により原画像からズーム画像に切り換えられる。また，画像の切替が実行スイッチ16の押下にもとづくものであれば，実行スイッチ16の押下にしたがい原画像の表示からズーム画像の表示に切り変わる。このプレビューにより図19に示す原画像から図20に示すズーム画像が表示される。
【００９６】
図20に示す画像は，プレビューの結果一時的に記憶したシナリオ・データをメモリ・カード38に記憶するかどうかを設定するためのものである。「記録終了」アイコンＩ12と「キャンセル」アイコンＩ13が含まれている。
【００９７】
プレビューした結果，シナリオ・データによって表される表示が気に入れば，ユーザによってアイコンＩ12が選択される。一時的に記憶されたシナリオ・データがメモリ・カード38に記録される（ステップ74）。シナリオ・データをメモリ・カード38に記録するのをキャンセルするときには「キャンセル」アイコンＩ13が選択される。すると一時的に記憶されたシナリオ・データが消去される。
【００９８】
図21は，再生時の指示表示の処理手順を示すフローチャートである。図10のステップ59の処理に相当する。
【００９９】
ユーザによってズーム・アップ・ボタン11が押されると（ステップ81でＹＥＳ），そのズーム・アップ・ボタン11が押されている間，表示画面17に表示されている画像が拡大される（ステップ82）。
【０１００】
また，ユーザによってズーム・ダウン・ボタン12が押されると（ステップ83でＹＥＳ），そのズーム・ダウン・ボタン12が押されている間，表示画面17に表示されている画像が縮小される（ステップ84）。
【０１０１】
さらに，シフト・スイッチ14と操作スイッチ10との組み合わせによりズーム位置が変えられる。
【０１０２】
シフト・スイッチ14と操作スイッチ10の上矢印が押されると（ステップ85でＹＥＳ），その押されている間表示画面17に表示されている画像が上方向に移動する（ステップ86）。
【０１０３】
シフト・スイッチ14と操作スイッチ10の下矢印が押されると（ステップ87でＹＥＳ），その押されている間表示画面17に表示されている画像が下方向に移動する（ステップ88）。
【０１０４】
シフト・スイッチ14と操作スイッチ10の右矢印が押されると（ステップ89でＹＥＳ），その押されている間表示画面17に表示されている画像が右方向に移動する（ステップ88）。
【０１０５】
シフト・スイッチ14と操作スイッチ10の左矢印が押されると（ステップ91でＹＥＳ），その押されている間表示画面17に表示されている画像が左方向に移動する（ステップ92）。
【０１０６】
メニュー・スイッチ15が押されると，メニュー・モードに移行する（ステップ93でＹＥＳ）。
【０１０７】
上述したような操作にもとづいて原画像についてズーム処理が行われ，ズーム画像が得られる。得られたズーム画像についてのズーム倍率およびズーム位置を示すデータが上述したようにシナリオ・データとしてメモリ・カード38に記録される。
【０１０８】
上述した実施例においては，画像データを格納する画像ファイルと同じファイルにシナリオ・データが格納されていたが，必ずしも同じ画像ファイルにシナリオ・データを格納しなくともよい。
【０１０９】
図22は，ディレクトリ構成を示している。
【０１１０】
図22に示すディレクトリ構成においては，「ＲＯＯＴ」ディレクトリによって「Ｄｃｉｍ」のサブ・ディレクトリおよび「Ｍｉｓｃ」のサブ・ディレクトリが管理されている。画像ファイルは，「Ｄｃｉｍ」のサブ・ディレクトリによって管理される「100  fuji 」のサブ・ディレクトリによって管理されている（画像ファイルのファイル名の一例として「Dscf0001.jpg」が示されている）。「Ｍｉｓｃ」のサブ・ディレクトリによってシナリオ・データ（ファイル名「Autoplay．mrk 」）が管理されている。このように画像データが格納されている画像ファイルと異なるファイルにシナリオ・データを格納するようにしてもよい（ファイル名「Autoprint．mrk」のファイルは，画像のプリント情報を表わすデータを格納するものである）。
【０１１１】
図23は，ディジタル・スチル・カメラ１の再生時の処理手順を示すフローチャートである。図24および図25は，表示画面に表示される画像に一例を示している。
【０１１２】
電源スイッチ兼モード設定スイッチ６により再生モードが設定される。再生モードにおいて，操作スイッチ10を用いて再生すべき画像が選択される（ステップ101 ）。選択された画像が表示画面17に表示される（ステップ102 ）。また，その選択された画像についてのシナリオ・データが存在すれば読み取られる。
【０１１３】
シナリオ・データがあれば（ステップ103 でＹＥＳ），図24に示すようにシナリオ・データがあることを示すアイコンＩ21が再生画像に表示される。再生画像には，再生モードであることを示す文字が左上に表示され，ファイル名が右上に表示される。もっとも，シナリオ・データがあることをアイコンを用いて示さずとも図25に示すように文字で示すようにしてもよい。
【０１１４】
そして，シナリオ・データにより自動再生に設定されているかどうかが判断される（ステップ104 ）。自動再生が設定されていると（ステップ104 でＹＥＳ），ディジタル・スチル・カメラ１が自動再生オンに設定されているかどうかが判断される（自動再生オンは，メニュー・スイッチ15により設定されるメニューにおいて設定される）。自動再生オンに設定されていると（ステップ106 でＹＥＳ），つづいて，次の画像を表示するのが時間の経過によるものか実行ボタン16の押下によるものかが判断される（ステップ106 ）。再生時間の経過によるものであれば，シナリオ・データによって規定されるその時間の間，画像が再生される（ステップ107 ）。
【０１１５】
シナリオの自動再生でないか（ステップ104 でＮＯ），ディジタル・スチル・カメラ１の自動再生がオンとされていないか（ステップ105 でＮＯ），次の画像を表示する指示が実行ボタンの押下であれば（ステップ106 ），実行スイッチ16が押されたかどうかが判定される（ステップ108 ）。実行スイッチ16が押されたことにより原画像またはズーム画像が表示画面17に表示される（ステップ109 ）。
【０１１６】
表示画面17に表示されている画像が原画像に付随した最後のズーム画像でなければ（ステップ110 でＮＯ），次に表示すべき画像についてのシナリオ・データが読み取られ（ステップ111 ），次の画像が表示されることとなる。最後の画像が表示されると（ステップ110 でＹＥＳ），その画像についてのシナリオ再生は終了する。
【０１１７】
画像の再生時において，ユーザからのズーム指令が与えられなくともズーム画像が表示されるようになる。
【０１１８】
また，メモリ・カードに記録されている画像データによって表される画像の縮小画像の一覧を表すインデックス画像データがメモリ・カードに記録されていることがある。このような場合には，ズーム画像の縮小画像を用いてインデックス画像を構成するようにしてもよい。
【図面の簡単な説明】
【図１】ディジタル・スチル・カメラを正面から見た斜視図である。
【図２】ディジタル・スチル・カメラを背面から見た斜視図である。
【図３】ディジタル・スチル・カメラの電気的構成を示すブロック図である。
【図４】メモリ・カードのデータ構造を示している。
【図５】画像ファイルの構成を示している。
【図６】シナリオ・データの一例を示している。
【図７】原画像を示している。
【図８】ズーム画像を示している。
【図９】シナリオ・データの記録の処理手順の一部を示すフローチャートである。
【図１０】シナリオ・データの記録の処理手順の一部を示すフローチャートである。
【図１１】シナリオ・データの記録の処理手順の一部を示すフローチャートである。
【図１２】表示画面に表示される画像の一例である。
【図１３】表示画面に表示される画像の一例である。
【図１４】表示画面に表示される画像の一例である。
【図１５】表示画面に表示される画像の一例である。
【図１６】表示画面に表示される画像の一例である。
【図１７】表示画面に表示される画像の一例である。
【図１８】表示画面に表示される画像の一例である。
【図１９】表示画面に表示される画像の一例である。
【図２０】表示画面に表示される画像の一例である。
【図２１】再生時の表示指示手順を示すフローチャートである。
【図２２】ディレクトリ構成を示している。
【図２３】再生モードにおける処理手順を示すフローチャートである。
【図２４】表示画面に表示される画像の一例である。
【図２５】表示画面に表示され流画像の一例である。
【符号の説明】
１  ディジタル・スチル・カメラ
２  ズーム・レンズ
10  操作スイッチ
11  ズーム・アップ・ボタン
12  ズーム・ダウン・ボタン
14  シフト・スイッチ
16  実行スイッチ
17  表示画面
20  ＣＰＵ
23  撮像ディバイス
38  メモリ・カード
【図１】
0004733245.tif 000002
【図２】
0004733245.tif 000003
【図３】
0004733245.tif 000004
【図４】
0004733245.tif 000005
【図５】
0004733245.tif 000006
【図６】
0004733245.tif 000007
【図７】
0004733245.tif 000008
【図８】
0004733245.tif 000009
【図９】
0004733245.tif 000010
【図１０】
0004733245.tif 000011
【図１１】
0004733245.tif 000012
【図１２】
0004733245.tif 000013
【図１３】
0004733245.tif 000014
【図１４】
0004733245.tif 000015
【図１５】
0004733245.tif 000016
【図１６】
0004733245.tif 000017
【図１７】
0004733245.tif 000018
【図１８】
0004733245.tif 000019
【図１９】
0004733245.tif 000020
【図２０】
0004733245.tif 000021
【図２１】
0004733245.tif 000022
【図２２】
0004733245.tif 000023
【図２３】
0004733245.tif 000024
【図２４】
0004733245.tif 000025
【図２５】
0004733245.tif 000026